(57)【特許請求の範囲】
【請求項１】
施錠片を設けた外枠と、前記外枠の前面一側に開閉自在に軸着される内枠と、前記内枠の前面一側に透明板保持枠と共に開閉自在に軸着される前板と、前記内枠の開放側に設けられ該内枠を前記外枠に施錠又は開錠すると共に前記透明板保持枠及び前板を前記内枠に施錠又は開錠するための施錠装置と、を備えてなる遊技機であって、
前記施錠装置は、前記内枠の裏面に取り付けられる縦主杆を有し、前記縦主杆に前方へ突出しかつ錠軸にカム片を取着したシリンダー錠を設け、前記縦主杆の上下部に上向きの鉤部が後部に設けられると共に該鉤部が常に上方へ付勢されるように軸着され前記外枠の施錠片に下方へ回動しながら係合するロック片を配置し、前記ロック片の上方であり所定の高さ離して前記縦主杆に突設され前記鉤部を前記施錠片に係合するとき下縁が該施錠片の上端縁に摺設して該施錠片を正位置にガイドする上横板部を設け、前記ロック片の鉤部と前記施錠片との係合が不正により解かれないように前記ロック片の側方に重なるようにして前記縦主杆に突設され該ロック片の無用な回動動作を抑制する下横板部を設け、前記縦主杆に前記シリンダー錠のカム片の回動動作と連動して上下に摺動し前記透明板保持枠を施錠又は開錠する第一施錠杆及び前記前板を施錠又は開錠する第二施錠杆を配置して構成され、
前記第二施錠杆は常に上方へ付勢される施錠杆本体と該施錠杆本体に軸着されその上方に位置し前端縁に係合段部が設けられ上方と前方へ付勢される切替板とからなり、
前記透明板保持枠が閉じて施錠されているとき前記切替板が該透明板保持枠の裏側に当接して後方へ傾いており、前記カム片を一方向へ回動させ第一施錠杆を下方へ摺動させることにより前記透明板保持枠が開錠されると同時に前記切替板が支持を失い前側へ傾動し、この状態で前記カム片を元の位置に戻すと共に再び同方向へ回動させることにより該カム片が前記係合段部に係合して第二施錠杆が下方へ摺動し前記前板が開錠されるようにしたことを特徴とする遊技機。
【発明の詳細な説明】
【技術分野】
【０００１】
本発明は、外枠に軸着された内枠を閉じて施錠する際に該内枠の施錠動作が円滑に行えるようにした遊技機に関するものである。
【背景技術】
【０００２】
従来、遊技機の一種であるパチンコ遊技機は例えば次の構成からなる。すなわち、該パチンコ遊技機は、方形枠状の外枠の前面一側に遊技盤を配設した内枠が開閉自在に軸着される。また、内枠の開放側に該内枠を施錠又は開錠するためのシリンダー錠を備えた施錠装置が取着される。該施錠装置の上下部には、外枠の一側内面であってその上下部に設けられた施錠片に係合し内枠を施錠するロック片が設けられる。更に詳しく説明すると、各ロック片は、施錠装置から後方へ突出する鉤部が常に上方へ付勢されるように軸着され、該各鉤部が前記各施錠片に下方に回動しながら係合する。
【０００３】
そして、内枠が施錠された状態で、前記シリンダー錠に差し込まれた鍵を操作し各ロック片の鉤部を下方へ回動することにより、各施錠片と各鉤部との係合が解かれ内枠が開錠されて前側ヘ開放できる。また、開放された状態の内枠を外枠側へ押し付けて閉じることにより、各ロック片の鉤部がその付勢に抗して下方に回動しながら各施錠片に自動的に係合し、内枠が外枠に施錠されるようになっている（例えば、特許文献１参照。）。
【特許文献１】実開平６−７５５７４号公報（第５−７頁段落００１９、図１）
【発明の開示】
【発明が解決しようとする課題】
【０００４】
ところで、最近のパチンコ遊技機は、遊技盤に装着される可変表示装置の大型化が目立っており、また、遊技盤が配設される内枠にはその裏側に遊技球を貯留した球タンクなど多くの裏部品が装着されており、内枠の全体重量がかなり嵩んでいる。しかしながら、前記内枠はその一側のみで軸着されている関係上、開錠して内枠を開いたときその自重により開放側が下がる傾向にある。このように内枠の開放側が下がって傾くと、その開放側に設けられた施錠装置から後方へ突出する各ロック片と外枠の各施錠片との位置関係が狂い、ロック片が施錠片に上手く係合し得ない状態が起こることがある。このため、内枠を施錠する際に内枠の開放側を少し上に持ち上げて閉めなければならず面倒であるばかりか、逆に上げすぎるとまた各ロック片が各施錠片に係合し得ないといった状態に陥り、その施錠動作が円滑に行えないとった課題がある。
【０００５】
そこで、本発明は上記課題を解決すべくなされたもので、内枠を施錠する際に該内枠の開放側をいちいち持ち上げる必要もなく、内枠の施錠動作が円滑かつ正確に行えるようにした遊技機を提供することを目的とするものである。
【課題を解決するための手段】
【０００６】
かかる目的を達成するため本発明に係る遊技機は、施錠片を設けた外枠と、前記外枠の前面一側に開閉自在に軸着される内枠と、前記内枠の開放側に設けられ該内枠を前記施錠片を介して前記外枠に施錠又は開錠するための施錠装置と、を備えてなる遊技機であって、前記施錠装置には、上向きの鉤部が後部に設けられると共に該鉤部が常に上方へ付勢されるように軸着され前記外枠の施錠片に下方へ回動しながら係合するロック片と、前記ロック片の上方に所定の高さ離して配置され、前記鉤部を前記施錠片に係合するとき下縁が該施錠片の上端縁に摺接して該施錠片を正位置にガイドする上横板部と、を設けた構成からなる。
【０００７】
また、本発明にあっては、前記ロック片の鉤部と前記施錠片との係合が不正により解かれないように前記ロック片の無用な回動動作を抑制する下横板部を前記ロック片の側方に重なるようにして配置することが好ましい。
【発明の効果】
【０００８】
本発明に係る遊技機は、内枠を外枠側へ押し付けて施錠するとき、上横板部の下縁が施錠片の上端縁に摺接しつつ該施錠片を正位置にガイドすることになる。これにより、内枠を持ち上げることなくそのまま外枠側へ押し付けるのみで鉤部が施錠片に簡単に係合することになり、施錠動作が円滑かつ正確に行えるという効果がある。また、内枠の開放側を持ち上げないことからその軸着部にも無理な荷重、特に上方への荷重、が加わることがないので、該軸着部が破損しにくいという効果もある。
【０００９】
また、ロック片の鉤部と施錠片との係合が不正により解かれないようにロック片の無用な回動動作を抑制する下横板部をロック片の側方に重なるようにして配置すれば、たとえ不正具によりロック片の鉤部を押し下げ施錠片との係合を解こうとしても、不正具が途中で下横板部の上縁に支えてそれ以上鉤部を押し下げることができなくなるので、鉤部の係合が解かれるおそれはほとんどない。これにより、内枠を開放して行われる不正行為の防止が図られるという効果がある。
【発明を実施するための最良の形態】
【００１０】
以下、本発明に係る遊技機の実施の形態を図面に基づき説明する。なお、本発明はパチンコ遊技機、アレンジボール機または雀球遊技機等の遊技機に適用されるが、その内、その一例としてパチンコ遊技機について説明する。図１は本発明が適用されるパチンコ遊技機の正面図、図２は同透明板保持枠及び前板を開錠した状態の斜視図、図３は同背面図、図４は図３のＸ−Ｘ線断面図、図５は図４のＹ−Ｙ線断面図をそれぞれ示す。
【００１１】
パチンコ遊技機Ｐは、縦長方形状の外枠１を備え、該外枠１の前面に一側上下部を軸着３，３して内枠２が開閉自在に取着されている。該内枠２には遊技盤４が配設され、該遊技盤４の前面に外側・内側のガイドレール５ａ，５ｂが渦巻状に敷設され、これら外側・内側のガイドレール５ａ，５ｂにより囲まれて遊技部４ａが成形されている。
【００１２】
前記遊技部４ａに、該遊技部４ａを流下する遊技球の流れ方向をランダムに変化させ興趣のあるゲーム性を与える多くの障害釘６や風車７、中央に位置する可変表示装置９、遊技球が入賞することにより該可変表示装置９を動作させる始動入賞口１０、前記可変表示装置９が特別な図柄を表示し特別遊技状態になったとき一度に多くの入賞球が発生し沢山の賞球が得られる大型の入賞装置１１、一回の入賞により所定個数（例えば、１３個）の賞球が払い出される一般入賞口１２等の所謂盤面部品が配置される。
【００１３】
前記内枠２前面の一側に前記遊技盤４の前面を覆う透明板保持枠１３が開閉自在に軸着１４される。該透明板保持枠１３は、その中央に前記遊技盤４前面の遊技部４ａが臨む窓開口１５が開設され、該窓開口１５に合成樹脂製の前後一対の透明板１６，１６が装着される。なお、該透明板１６はガラス製であっても良い。透明板保持枠１３の下方に内枠２の下部前面を覆う前板１７が同じく内枠２の前面一側に開閉自在に軸着１８される。この前板１７の前面には、打球発射レール１９の打球発射部１９ａに供給される賞球または貸し球としての遊技球を貯留するための球皿としての上球皿２０が装着される。また、前記内枠２の下端部前面に前記上球皿２０から溢れる遊技球を貯留するための球皿としての下球皿２１が装着される。該下球皿２１の一側に打球の発射力を調整するための操作ハンドル２２が装着される。
【００１４】
前記内枠２の裏面に、遊技盤４の裏面に接するように合成樹脂製の機構板２３が一側を軸着して開閉自在に設けられている。機構板２３はコ字状をなし、その中央開放部２３ａに前記遊技盤４に装着された可変表示装置９の後部を覆うカバー部材２４が介在され後方へ突出している。
【００１５】
前記機構板２３の裏面には、その上端部に球タンク２５が配置され、その一側に該球タンク２５から排出される遊技球を整列させて下方へ誘導するタンクレール２６が配置される。該タンクレール２６の流下端に球払出装置２７が配置される。また、その下方には球排出樋２８と球抜き樋２９が配置される。３０ａ，３０ｂは機構板２３の下部裏面に配置され遊技を電気的に制御するための基板ケースである。
【００１６】
そこで、前記打球発射部１９ａから発射された打球は、外側のガイドレール５ａと内側のガイドレール５ｂとの間の球飛走通路８を通って遊技部４ａに打ち込まれる。その内、打球が例えば一般入賞口１２に入賞すると、球払出装置２７から所定量の賞球としての遊技球が払い出される。これら賞球は前記上球皿２０に貯留される。
【００１７】
前記内枠２の開放側の裏側でありかつその側縁に沿って施錠装置３１が装着される。該施錠装置３１には、中央よりやや下方の前面に前方へ突出するシリンダー錠３２が設けられる。該シリンダー錠３２の錠穴部３２ａは透明板保持枠１３を閉塞したとき該透明板保持枠１３に開設された差込口３３に合致し、前側から前記錠穴部３２ａに鍵３４を差し込み操作するのみで透明板保持枠１３、前板１７及び内枠２がいずれも開錠できるようになっている。
【００１８】
次に、前記施錠装置３１について詳しく説明する。図６は一側から見た施錠装置の斜視図、図７は他側から見た施錠装置の斜視図、図８は分解斜視図である。施錠装置３１は金属製であって、内枠２の裏面に取り付けられる縦主杆３５を有する。該縦主杆３５は平面略Ｌ字型に成形され、内枠２の裏面に当接する前側壁３５ａの中央よりやや下方に前記シリンダー錠３２を取着するための取付孔３６が設けられる。
【００１９】
そして、シリンダー錠３２をその鍵穴部３２ａを前側にして前記取付孔３６に挿通し、後端の取付片３７を前側壁３５ａにビス３８止めして取着する。シリンダー錠３２の後端から取付片３７の後方へ突出する錠軸３２ｂにカム片３９が取着され、該カム片３９の外周縁に位置を違えて先端が尖った押上片部３９ａと押下片部３９ｂとがそれぞれ設けられる。該カム片３９は、該錠軸３２ｂの回動と共に該錠軸３２ｂに対し直交する面内で回動するようになっている。
【００２０】
前記縦主杆３５の内側の内側壁３５ｂの上下端部に、それぞれ後方へ水平かつ平行に突出する上横板部４０ａと下横板部４０ｂが所定の間隔離して上下に設けられる。これらは内枠２を外枠１に施錠するためのものであって、内枠２を外枠１側へ押し込む際に、それぞれの上横板部４０ａと下横板部４０ｂとの間に外枠１の一側内面の上下部に設けられた各施錠片４１が介入する。前記上横板部４０ａの先端側下縁と下横板部４０ｂの先端側上縁とには、前記施錠片４１が介入し易いように共に後方へ進むに従い漸次その間隔が広がるテーパ４２が設けられる。また、下横板部４０ｂの上縁基端部に外側へ折曲して受止板４３が設けられている。
【００２１】
縦主杆３５の内側壁３５ｂの上下部外側面に接するようにして内枠２を施錠又は開錠するためのロック片４４，４４が配置される。各ロック片４４はほぼ中央部に開設される軸孔４５に内側壁３５ｂに固着される軸ピン４６が挿通され、該軸ピン４６を中心として鉛直面内で回動し得るようになっている。また、各ロック片４４の後端に先の窄まった上向きの鉤部４７が設けられ、前端側の上端縁には外側へ折曲される掛止片４８が設けられる。また、各ロック片４４の前端部には外側へ突出する作用ピン４９が設けられる。
【００２２】
上部のロック片４４は、前記掛止片４８と次に説明する第一施錠杆５１に設けられた突片５４との間に掛止される引張スプリング５０により鉤部４７側が常に上方へ付勢される。一方、下部のロック片４４は、掛止片４８と後記する第二施錠杆６７に設けられた突片７３との間に掛止される引張スプリング５０により鉤部４７側が常に上方へ付勢される。また、いずれのロック片４４，４４も、常態では鉤部４７が前記下横板部４０ｂに設けられた受止片４３に当接して停止しており、しかも、該下横板部４０ｂの側方にほぼ重なるようにして配置している。
【００２３】
前記上・下横板部４０ａ，４０ｂ及び各ロック片４４の関係についてもう少し詳しく説明する。各上横板部４０ａは、内枠２を外枠１側へ押し付けて施錠するとき、その下縁が施錠片４１の上端縁に摺接しつつ該施錠片４１を正位置にガイドするようになっており、このため各ロック片４４の上方の所定の高さ位置に配置される。また、前記各下横板部４０ｂは前記各ロック片４４の側方に重なるようにして配置されるが、これは不正により前記各ロック片４４の鉤部４７と前記外枠１の各施錠片４１との係合がそれぞれ解かれないように前記各ロック片４４の無用な回動動作を抑制するためのものである。
【００２４】
前記縦主杆３５における内側壁３５ｂの外側のほぼ上半部に、透明板保持枠１３を施錠又は開錠するため縦長板状の第一施錠杆５１が配置される。該第一施錠杆５１は上下端部に開設された縦長のガイド孔５２，５２に前記内側壁３５ｂの外面に固着されたガイドピン５３，５３が挿通されて鉛直方向に摺動し得るようになっており、その上部に前記引張スプリング５０が掛止される突片５４が設けられる。これにより、前記上部のロック片４４の鉤部４７側が上方へ付勢されると同時に第一施錠杆５１が常に上方へ付勢されることになる。また、第一施錠杆５１の前端縁の上下端部にそれぞれ前方へ突出する先の窄まった上向きの鉤部５５，５５が設けられ、中央部よりやや上方の側面に外側へ屈曲する係合片５６が設けられる。前記各鉤部５５は縦主杆３５の前側壁３５ａに開設された開口５７を介して前方へ突出している。更に、各鉤部５５は内枠２に開設された透孔を介して該内枠２の前方に突出している。
【００２５】
同様に、前記縦主杆３５における内側壁３５ｂの外側であって第一施錠杆５１の外側に、上部可動部材５８とその下に連接される下部可動部材５９が配置される。第一施錠杆５１と上部可動部材５８はほとんど重なる位置にあるが、下部可動部材５９はその上部のみが第一施錠杆５１と重なる。上部可動部材５８の下端部に折り曲げして連結片６０が設けられ、該連結片６０が下部可動部材５９の上端部に設けられた切欠６１に係合している。
【００２６】
上部可動部材５８の上部と下部可動部材５９の上部とにそれぞれ縦長のガイド孔６２，６２が開設される。これらガイド孔６２，６２は前記第一施錠杆５１の上下部に設けられたガイド孔５２，５２と合致する位置にあるが、該ガイド孔５２，５２よりも縦方向寸法が長く設定されている。そして、上・下部可動部材５８，５９は、そのガイド孔６２，６２に前記第一施錠杆５１のガイド孔５２，５２に挿通された同じガイドピン５３，５３が挿通され、鉛直方向に摺動し得るようになっている。また、前記上・下部可動部材５８，５９の上・下端部にそれぞれ上・下部のロック片４４，４４の作用ピン４９に係合し該作用ピン４９を押上げる係合凹部６３が設けられる。
【００２７】
上部可動部材５８にはその中央位置よりもやや上方に位置して前記第一施錠杆５１の係合片５６が係合する係合孔６４が開設され、上・下部可動部材５８，５９の下方への摺動動作に伴い第一施錠杆５１を下方へ摺動させるようになっている。
【００２８】
前記下部可動部材５９には、その中央に位置して係止凹部６５と係止孔６６が設けられる。係止凹部６５は下部可動部材５９の前端縁に設けられ、係止孔６６は該係止凹部６５より後方かつ下方の所定個所に位置している。そして、カム片３９が何れか一方向へ回動することにより係止凹部６５に前記カム片３９の押下片部３９ａが係合し、また、係止孔６６にはカム片３９の押上片部３９ｂが係合するようになっている。
【００２９】
前記縦主杆３５における内側壁３５ｂの内面に前記前板１７を施錠又は開錠するための第二施錠杆６７が配置される。該第二施錠杆６７は縦長板状の施錠杆本体６７ａと該施錠杆本体６７ａの上方に位置する切替板６７ｂとからなり、切替板６７ｂはその下端前側が施錠杆本体６７ｂの上端前側に軸ピン６８により軸着され、鉛直面内で前後に傾動し得るようになっている。
【００３０】
前記施錠杆本体６７ａの上下部に縦長のガイド孔６９，６９が開設され、縦主杆３５における内側壁３５ｂの内面に固着されたガイドピン７０，７０が挿通される。また、施錠杆本体６７ａの前端縁の上下部に前方へ突出しかつ所定の間隔離して前板１７の裏面に設けた施錠片７１，７１に係合し得る先の窄まった上向きの鉤部７２，７２が設けられている。各鉤部７２は内枠２に開設された透孔を介して該内枠２の前方に突出している。施錠杆本体６７ａの下端部に突片７３が設けられ、該突片７３と前記下部のロック片４４の掛止片４８との間に掛止される引張スプリング５０により、施錠杆本体６７ａすなわち第二施錠杆６７が常に上方へ付勢されるようになっている。
【００３１】
前記切替板６７ｂは、後端縁のほぼ中央に設けられた突片７４と縦主杆３５の前側壁３５ａ裏面に設けられた掛止片７５との間に掛止された引張スプリング５０により上方へ付勢されると共に前方へも付勢されている。また、切替板６７ｂの前端縁に凹欠部７６が設けられ、その奥端縁のほぼ中間位置に係合段部７７が設けられている。凹欠部７６の後方であってやや下方に透孔７８が開設される。
【００３２】
そして、前記カム片３９の押下片部３９ａが前記係止凹部６５、縦主杆３５の内側壁３５ｂに開設した上通孔７９ａをそれぞれ介して切替板６７ｂの凹欠部７６内に介入し得るようになっている。また、前記カム片３９の押上片部３９ｂが、前記係止孔６６、縦主杆３５の内側壁３５ｂに開設した下通孔７９ｂをそれぞれ介して切替板６７ｂの透孔７８内に介入し得るようになっている。切替板６７ｂの前側の上端縁に所定の長さ前方ヘ突出する押当片部８０が設けられる。
【００３３】
そこで、透明板保持枠１３が閉じて施錠されているときは、前記押当片部８０の前端が透明板保持枠１３の裏側に当接し切替板６７ｂが後方へ傾いて停止している。この状態で、カム片３９を一方向へ回動させ押下片部３９ａを下方へ回動すると、押下片部３９ａが係止凹部６５に係合し上・下部可動部材５８，５９が上下部の引張スプリング５０，５０の引張力に抗して下方へ摺動すると共に同時に第一施錠杆５１も下方へ摺動する。そして、その上下部の鉤片５５，５５が下方へ移動して透明板保持枠１３の裏面に設けられた施錠片８１，８１との係合が解かれ、透明板保持枠１３を開錠させる。この際、前記カム片３９ａの押下片部３９ａによっても第二施錠杆６７は下方へ摺動することなく停止している。よって、両鉤部７２，７２が前板１７の裏面に設けられた施錠片７１，７１に下側から係合したままとなり、前板１７は開錠されることはない。
【００３４】
一方、前記透明板保持枠１３が開錠されると、第二施錠杆６７の切替板６７ｂが支持を失い引張スプリング５０の付勢により前側へ傾動する。これにより、前記押下片部３９ａと凹欠部７６内の係合段部７７との位置が合致する。そこで、一度回動させた前記カム片３９を初めの位置に戻し再度同じ方向へ回動させると、今度は押下片部３９ａが係合段部７７に係合して第一施錠杆５１と共に第二施錠杆６７を下方へ摺動させる。これにより、施錠杆本体６７ａの鉤部７２と前板１７裏面の施錠片７１との係合が解かれ前板１７が開錠される。なお、透明板保持枠１３と前板１７とは前板１７から先に内枠２側へ押し付けることで、第一・第二施錠杆５１，６７の各鉤部５５，７２が透明板保持枠１３、前板１７の各施錠片７１，８１に係合して施錠されるようになっている。
【００３５】
前記カム片３９を他方向へ回動させると、その押上片部３９ｂが縦主杆３５における内側壁３５ｂの下通孔７９ｂ、切替板６７ｂの透孔７８に介入した状態で、下部可動部材５９の係止孔６６に係合して上・下部可動部材５８，５９を上方へ摺動させる。そして、上・下部の係合凹部６３，６３が前端部の各作用ピン４９を引張スプリング５０の付勢に抗して押し上げ、各ロック片４４の後端部の鉤部４７を下げる。これにより、外枠１の各施錠片４１との係合が解かれ内枠２が開錠される。また、内枠２を外枠１側へ押し付けるのみで、外枠１の各施錠片４１が前記各上横板部４０ａと下横板部４０ｂとの間に介入すると共に各ロック片４４の鉤部４７が該各施錠片４１に下側から係合して内枠２が施錠されるようになる。
【００３６】
本発明に係るパチンコ遊技機Ｐは上記構成からなり、次に図９乃至図１３に基きその作用について説明する。遊技中の状態では、図９（イ）（ロ）、図１０に示すように各ロック片４４の鉤部４７が外枠１の各施錠片４１に下側から係合して内枠２が施錠され、第一施錠杆５１の各鉤部５５が透明板保持枠１３裏面の各施錠片８１に下側から係合して透明板保持枠１３が施錠されている。また、第二施錠杆６７における施錠杆本体６７ａの各鉤部７２が前板１７裏面の各施錠片７１に下側から係合して前板１７が施錠されている。もっとも、透明板保持枠１３下縁の後方への折曲部８２が前板１７上縁の横溝８３内に介入しているため、透明板保持枠１３を開放しない限り、前板１７は開放できないことになっている。また、第二施錠杆６７における切替板６７ｂは後方へ傾斜しており、カム片３９の押下片部３９ａと係合段部７７とは合致しない位置関係にある。
【００３７】
そこで、例えば遊技中に遊技盤４面でのトラブルが生じた場合は、ホールの従業員が前側からシリンダー錠３２の錠穴部３２ａに鍵３４を差し込み、図１１（イ）矢印に示すように一方向（例えば、内側方向）へ回動する。これにより、カム片３９の押下片部３９ａが下部可動部材５９の係止凹部６５に係合して上・下部可動部材５８，５９と共に第一施錠杆５１が下方へ摺動して両鉤部５５，５５と施錠片８１，８１との係合が解かれる。この状態で、透明板保持枠１３が図１１（ロ）矢印に示すように開錠され、前記トラブルの解消が図られる。
【００３８】
更に、前板１７裏側、例えば打球発射部１９ａでトラブルが生じた場合は、前記透明板保持枠１３を開錠したまま前板１７を開錠することになるが、この際、前記切替板６７ｂが引張スプリング５０の付勢により前側へ傾き前記カム片３９の押下片部３９ａと凹欠部７６内の係合段部７７とが合致した位置関係になる。そこで、前記鍵３４を初めの位置に戻し再び図１２（イ）矢印に示すように同じ方向（内側方向）へ回動する。これにより、押下片部３９ａが係合段部７７に係合して今度は第一施錠杆５１と共に第二施錠杆６７も下方へ摺動してその各鉤部７２の前板１７裏面の各施錠片７１との係合が解かれる。この状態で、前板１７が図１２（ロ）矢印に示すように開錠され、前記トラブルの解消が図られる。いずれも、トラブルが解消されれば透明板保持枠１３及び前板１７を内枠２側へ押し付けることにより、それぞれ各鉤部５５，７２が各施錠片７１，８１に係合して透明板保持枠１３及び前板１７が施錠される。
【００３９】
内枠２の裏側、例えば機構板２３でトラブルが生じた場合は、前記鍵３４を図１３（イ）矢印に示すように他方向（例えば、外側方向）へ回動する。これにより、カム片３９の押上片部３９ｂが下部可動部材５９の係止孔６６に係合し、上・下可動部材５８，５９を上方へ摺動させて各ロック片４４の前端部を押し上げる。これにより、各ロック片４４後端部の鉤部４７と外枠１の各施錠片４１との係合が外れ、図１３（ロ）矢印に示すように内枠２が開錠され、前記トラブルが解消される。該トラブルが解消すれば内枠２を外枠１側へ押し付けることにより、各鉤部４７が各施錠片４１に係合して内枠２が施錠される。
【００４０】
本発明では、前記上横板部４０ａの先端側下縁と下横板部４０ｂの先端側上縁とにはその間に前記施錠片４１が介入し易いように後方へ進むに従い漸次その間隔が広がるテーパ４２が設けられている。よって、内枠２を閉めるとき、図１４に示すように外枠１側の各施錠片４１がその上端縁を各上横板部４０ａの先端側下縁のテーパ４２に摺接させつつ上・下横板部４０ａ，４０ｂ間に介入する。
【００４１】
すなわち、各上横板部４０ａの下縁が各施錠片４１の上端縁に摺接しつつ該施錠片４１を正位置にガイドすることになる。これにより、内枠２を持ち上げることなくそのまま外枠１側へ押し付けるのみで、各ロック片４４の鉤部４７が外枠１の各施錠片４１に簡単に係合することになり、その施錠動作が円滑かつ正確に行える。また、内枠２の開放側を持ち上げないことからその軸着部３にも無理な荷重、特に上方への荷重、が加わることがないので、該軸着部３が破損しにくい。
【００４２】
また、一般のホールにあっては、図１５に示すように列設されるパチンコ遊技機Ｐとこれと隣接するパチンコ遊技機Ｐとの間の隙間から裏側へ針金等の不正具Ｈを差し込み、前記上・下部のロック片４４，４４を回動させて内枠２を故意に開錠して不正行為を行うというケースがある。
【００４３】
そこで、本発明は、各上横板部４０ａの下方であって各ロック片４４の側方に重なるようにして下横板部４０ｂを配置し、不正により各ロック片４４の鉤部４７と外枠１の各施錠片４１との係合が解かれないように各ロック片４４の無用な回動動作を抑制するようにしている。このため、その機能を果すべく形状・大きさが適宜設定される。本発明にあっては、各下横板部４０ｂが各ロック片４４とほとんど重なり、各下横板部４０ｂの後側上縁から各ロック片４４の鉤部４７の上部が少し上方へ突出している程度である。よって、たとえ不正具Ｈにより各ロック片４４の鉤部４７を押し下げて各施錠片４１との係合を解こうとしても、その途中で不正具Ｈが下横板部４０ｂの上縁に支え、それ以上鉤部４７を押し下げることができなくなるので、鉤部４７の係合が解かれるおそれはほとんどない。これにより、内枠２を開放して行われる不正行為の防止が図られる。
【００４４】
本発明では、前板１７を上球皿２０のみが装着されたものとして説明したが、これにとらわれることなく、例えば前板１７を上球皿２０と共に下球皿２１も一緒に装着されたものとしても本発明が適用できること勿論である。
【００４５】
また、本発明に係るパチンコ遊技機Ｐは、施錠装置３１に、シリンダー錠３２のカム片３９と係合しかつ該カム片３９の回動動作により鉛直方向に摺動して透明板保持枠１３を開錠し得る第一施錠杆５１と、透明板保持枠１３が開錠したことを条件にカム片３９が係合しかつ該カム片３９の回動動作により鉛直方向に摺動して前板１７を開錠し得る第二施錠杆６７とを設けたので、前板１７を開錠する部材までも施錠装置３１に組み込み集約させることができ、それら取付作業を簡略化させることができる。
【００４６】
更に、シリンダー錠３２に差し込まれた鍵３４を何れか一方向へ回動することによって透明板保持枠１３等と同様に前板１７も開錠できるので、従来のように前板１７の裏側に手を差し入れて指を怪我するといったこともなく操作性・安全性に優れる。更に、本発明は内枠２、透明板保持枠１３と共に前板１７も施錠装置３１のシリンダー錠３２に差し込まれる鍵３４により開錠される構成としたので、従来のように遊技者が前側から前板１７の裏側へ手を入れて該前板１７を開けてしまうといたことができなくなり、その部位での不正行為が防止されるという効果がある。
【図面の簡単な説明】
【００４７】
【図１】本発明が適用されるパチンコ遊技機の正面図。
【図２】同透明板保持枠及び前板を開錠した状態の斜視図。
【図３】同背面図。
【図４】図３のＸ−Ｘ線断面図。
【図５】図４のＹ−Ｙ線断面図。
【図６】一側から見た施錠装置の斜視図。
【図７】他側から見た施錠装置の斜視図。
【図８】同分解斜視図。
【図９】（イ）は施錠装置の背面図、（ロ）は同一部の内側から見た側面断面図。
【図１０】同一部の外側から見た側面断面図。
【図１１】（イ）は作用を示す施錠装置の背面図、（ロ）は同一部の側面断面図。
【図１２】（イ）は作用を示す施錠装置の背面図、（ロ）は同一部の側面断面図。
【図１３】（イ）は作用を示す施錠装置の背面図、（ロ）は同一部の側面断面図。
【図１４】外枠に内枠を押し込む状態の施錠装置の一部の側面断面図。
【図１５】不正行為を説明する施錠装置部位の側面断面図。
【符号の説明】
【００４８】
１                      外枠
２                      内枠
３                      軸着
１３                    透明板保持枠
１７                    前板
３１                    施錠装置
３２                    シリンダー錠
３２ｂ                  錠軸
３５                    縦主杆
３９                    カム片
４０ａ                  上横板部
４０ｂ                  下横板部
４１                    施錠片
４４                    ロック片
４７                    鉤部
５１                    第一施錠杆
６７                    第二施錠杆
６７ａ                  施錠杆本体
６７ｂ                  切替板
７７                    係合段部
Ｐ                      遊技機（パチンコ遊技機）
【図１】
0004423252.tif 000002
【図２】
0004423252.tif 000003
【図３】
0004423252.tif 000004
【図４】
0004423252.tif 000005
【図５】
0004423252.tif 000006
【図６】
0004423252.tif 000007
【図７】
0004423252.tif 000008
【図８】
0004423252.tif 000009
【図９】
0004423252.tif 000010
【図１０】
0004423252.tif 000011
【図１１】
0004423252.tif 000012
【図１２】
0004423252.tif 000013
【図１３】
0004423252.tif 000014
【図１４】
0004423252.tif 000015
【図１５】
0004423252.tif 000016